(57)【要約】【課題】光ケーブルの融着接続部とコネクタ接続部を別々に収納できる連結型光ケーブル接続箱を提供する。【解決手段】第一の光ケーブル接続箱１０と第二の光ケーブル接続箱１２とを備える。第一の光ケーブル接続箱１０は、融着接続すべき一方の光ケーブルを導入する導入部３０と、他方の光ケーブルを導出する導出部とを有し、前記一方の光ケーブルと他方の光ケーブルとの光ファイバ融着接続部を保持する融着接続部保持部を有する。第二の光ケーブル接続箱１２は、コネクタ接続すべき一方の光ケーブルを導入する導入部と、他方の光ケーブルを導出する導出部５２とを有し、前記一方の光ケーブルと他方の光ケーブルとのコネクタ接続部を保持するコネクタ接続部保持部を有する。第二の光ケーブル接続箱１２の光ケーブル導入部の外側にケーブル通路５８を突設し、このケーブル通路５８の先端部に第一の光ケーブル接続箱１０との連結部を設け、この連結部を第一の光ケーブル接続箱１０の光ケーブル導出部に連結する。【選択図】      図１
2004212841.tif 000002
【特許請求の範囲】
【請求項１】
周壁の一部に、接続すべき一方の光ケーブルを導入する導入部と、他方の光ケーブルを導出する導出部とを有し、周壁の内側に、前記一方の光ケーブルと他方の光ケーブルとの接続部を保持する接続部保持部を有する光ケーブル接続箱において、
前記一方の光ケーブルの導入部の外側にケーブル通路を突設し、このケーブル通路の先端部に、連結相手の光ケーブル接続箱の光ケーブル導出部に連結される連結部を設けたことを特徴とする連結用光ケーブル接続箱。
【請求項２】
請求項１記載の連結用光ケーブル接続箱であって、ケーブル通路の先端部に設けた連結部は、連結相手の光ケーブル接続箱の光ケーブル導出部に形成された多数の光ケーブル装着溝のうちの一部の装着溝に差し込まれる複数の仕切り壁を有しており、この仕切り壁を前記装着溝に差し込むことによって連結相手の光ケーブル接続箱との位置関係が定まるようになっていることを特徴とする連結用光ケーブル接続箱。
【請求項３】
周壁の一部に、スプライス接続すべき一方の光ケーブルを導入する導入部と、他方の光ケーブルを導出する導出部とを有し、周壁の内側に、前記一方の光ケーブルと他方の光ケーブルとの光ファイバスプライス接続部を保持するスプライス接続部保持部を有する第一の光ケーブル接続箱と、
周壁の一部に、コネクタ接続すべき一方の光ケーブルを導入する導入部と、他方の光ケーブルを導出する導出部とを有し、周壁の内側に、前記一方の光ケーブルと他方の光ケーブルとのコネクタ接続部を保持するコネクタ接続部保持部を有する第二の光ケーブル接続箱とを備え、
前記第二の光ケーブル接続箱の光ケーブル導入部の外側にケーブル通路を突設し、このケーブル通路の先端部に前記第一の光ケーブル接続箱との連結部を設け、この連結部を前記第一の光ケーブル接続箱の光ケーブル導出部に連結したことを特徴とする連結型光ケーブル接続箱。
【請求項４】
請求項３記載の連結型光ケーブル接続箱であって、第一の光ケーブル接続箱の光ケーブル導出部には周壁を横切る方向に多数の光ケーブル装着溝が形成されており、第二の光ケーブル接続箱のケーブル通路の先端部に設けた連結部には、前記第一の光ケーブル接続箱の多数の光ケーブル装着溝のうちの一部の装着溝に差し込まれる複数の仕切り壁が形成されており、この仕切り壁を前記装着溝に差し込むことによって第一の光ケーブル接続箱と第二の光ケーブル接続箱の位置関係が定まるようになっていることを特徴とする連結型光ケーブル接続箱。
【請求項５】
請求項３又は４記載の連結型光ケーブル接続箱であって、第一の光ケーブル接続箱と第二のケーブル接続箱はそれぞれ防護カバーを備えており、ケーブル通路には二つの防護カバーに跨る通路カバーが被せられるようになっていることを特徴とする連結型光ケーブル接続箱。
【発明の詳細な説明】
【０００１】
【発明の属する技術分野】本発明は、他の光ケーブル接続箱に連結して用いられる連結用光ケーブル接続箱と、それを用いた連結型光ケーブル接続箱に関するものである。
【０００２】
【従来の技術】ビルや集合住宅などでは、屋外から引き込まれた光ケーブルと屋内に配線される光ケーブルとの接続部を収納する光ケーブル接続箱が設置される。設置箇所は通常、屋内の壁などである。従来の光ケーブル接続箱は一般に、周壁の一部に、接続すべき一方の光ケーブル（例えば屋外からの光ケーブル）を導入する導入部と、他方の光ケーブル（例えば屋内配線用の光ケーブル）を導出する導出部とを有していて、周壁の内側に、前記一方の光ケーブルと他方の光ケーブルとの光ファイバ融着接続部を収納する構造となっている（例えば特許文献１参照）。
【０００３】
【特許文献１】特開２０００−５６１４１号公報
【０００４】
【発明が解決しようとする課題】ビルや集合住宅などでは、屋内側の光ケーブルの管理者（又は所有者）が、屋外側の光ケーブルの管理者（例えばＮＴＴなど）と異なる場合がある。このような場合、屋外側の光ケーブルと屋内側の光ケーブルとの光ファイバ心線を直接融着接続してしまうと、事故や不具合が発生したときに、どちら側に事故や不具合が発生したのかを確認することが難しく、管理責任も不明確になる。
【０００５】そこで上記のような場合には、屋内に引き込まれた屋外側の光ケーブルの端部に、一端に予め工場などでコネクタを取り付けた中継ぎ用の光ケーブルを融着接続し、前記コネクタに、屋内側の光ケーブルに取り付けたコネクタを接続して、コネクタ接続部で屋内側と屋内側を切り離せるようにすることが検討されている。
【０００６】しかし融着接続部とコネクタ接続部を一つのケーブル接続箱に収納するには、１心線あたり２個の接続部を収納する必要があるため、大型で特殊なケーブル接続箱が必要となり、コスト高になるだけでなく、ケーブル接続箱の管理責任も不明確となる。
【０００７】また最近では、屋内側光ケーブルの管理については、当初は屋外側光ケーブルと管理者が同じであっても、途中から屋外側光ケーブルと異なる管理者が、別に屋内に光ケーブルを布設して、屋外側光ケーブルのダークファイバの一部の光ファイバ心線を借用して、ダークファイバに接続して管理する場合がある。つまり、当初はスプライス接続で屋内側光ケーブルと接続していた屋外側光ケーブルの一部の光ファイバ心線を、責任の分界点としてコネクタ接続に変更する必要が生じる場合がある。このような場合、発生しないかも知れない又はいつ発生するか判らない、しかも心線数も確定したいないコネクタ接続のために、最初からスプライス接続部とコネクタ接続部の両方を収納できる接続箱を設置しておくことは非効率的である。
【０００８】本発明の目的は、上記のような課題に鑑み、必要に応じて他の光ケーブル接続箱に連結して使用できる連結用光ケーブル接続箱と、二つの光ケーブル接続箱を連結して、スプライス接続部（融着接続部又はメカニカルスプライス接続部）とコネクタ接続部を別々に収納できるようにした連結型光ケーブル接続箱を提供することにある。
【０００９】
【課題を解決するための手段】本発明に係る連結用光ケーブル接続箱は、周壁の一部に、接続すべき一方の光ケーブルを導入する導入部と、他方の光ケーブルを導出する導出部とを有し、周壁の内側に、前記一方の光ケーブルと他方の光ケーブルとの接続部を保持する接続部保持部を有する光ケーブル接続箱において、
前記一方の光ケーブルの導入部の外側にケーブル通路を突設し、このケーブル通路の先端部に、連結相手の光ケーブル接続箱の光ケーブル導出部に連結される連結部を設けたことを特徴とするものである。
【００１０】本発明の連結用光ケーブル接続箱は、ケーブル通路の先端部に設けた連結部が、連結相手の光ケーブル接続箱の光ケーブル導出部に形成された多数の光ケーブル装着溝のうちの一部の装着溝に差し込まれる複数の仕切り壁を有しており、この仕切り壁を前記装着溝に差し込むことによって連結相手の光ケーブル接続箱との位置関係が定まるようになっているものであることが好ましい。
【００１１】また本発明に係る連結型光ケーブル接続箱は、
周壁の一部に、スプライス接続すべき一方の光ケーブルを導入する導入部と、他方の光ケーブルを導出する導出部とを有し、周壁の内側に、前記一方の光ケーブルと他方の光ケーブルとの光ファイバスプライス接続部を保持するスプライス接続部保持部を有する第一の光ケーブル接続箱と、
周壁の一部に、コネクタ接続すべき一方の光ケーブルを導入する導入部と、他方の光ケーブルを導出する導出部とを有し、周壁の内側に、前記一方の光ケーブルと他方の光ケーブルとのコネクタ接続部を保持するコネクタ接続部保持部を有する第二の光ケーブル接続箱とを備え、
前記第二の光ケーブル接続箱の光ケーブル導入部の外側にケーブル通路を突設し、このケーブル通路の先端部に前記第一の光ケーブル接続箱との連結部を設け、この連結部を前記第一の光ケーブル接続箱の光ケーブル導出部に連結したことを特徴とするものである。
【００１２】本発明の連結型光ケーブル接続箱は、第一の光ケーブル接続箱の光ケーブル導出部には周壁を横切る方向に多数の光ケーブル装着溝が形成されており、第二の光ケーブル接続箱のケーブル通路の先端部に設けた連結部には、前記第一の光ケーブル接続箱の多数の光ケーブル装着溝のうちの一部の装着溝に差し込まれる複数の仕切り壁が形成されており、この仕切り壁を前記装着溝に差し込むことによって第一の光ケーブル接続箱と第二の光ケーブル接続箱の位置関係が定まるようになっているものであることが好ましい。
【００１３】また本発明の連結型光ケーブル接続箱は、第一の光ケーブル接続箱と第二のケーブル接続箱がそれぞれ防護カバーを備えており、ケーブル通路には二つの防護カバーに跨る通路カバーが被せられるようになっているものであることが好ましい。
【００１４】
【発明の実施の形態】以下、本発明の実施の形態を、図面を参照して詳細に説明する。
【００１５】図１及び図２は本発明に係る連結型光ケーブル接続箱の一実施形態を示す。図において、１０は光ケーブルの光ファイバスプライス接続部を収納する第一の光ケーブル接続箱、１２は光ケーブルのコネクタ接続部を収納する第二の光ケーブル接続箱（連結用光ケーブル接続箱）、１４は第一の光ケーブル接続箱１０の防護カバー、１６が第二の光ケーブル接続箱１２の防護カバー、１８は二つの防護カバー１４、１６間に被せられる通路カバーである。
【００１６】第一の光ケーブル接続箱１０は、図３及び図４に示すように、接続箱本体２０と、その上に積層された１枚の中間トレイ２２と、その上に積層された複数枚の上層トレイ２４とから構成されている。中間トレイ２２は一辺で接続箱本体２０とヒンジ部２６により結合されており、個々の上層トレイ２４も同じ辺でその下のトレイとヒンジ結合されている。これにより中間トレイ２２は上層トレイ２４と共に接続箱本体２０に対して開閉可能であり、上層トレイ２４も個々に開閉可能である。図３は中間トレイ２２及び上層トレイ２４を閉じた（倒した）状態、図４は中間トレイ２２を上層トレイ２４と共に開いて（起こして）接続箱本体２０内が見える状態を示している。
【００１７】中間トレイ２２は、導入された複数本の光ケーブルの複数本の光ファイバ心線を一括して輪取りし、接続すべき一方の光ファイバ心線は８の字取りすることにより巻き方向を変えて、他方の光ファイバ心線は巻き方向を変えずに、上層トレイ２４に接続すべき光ファイバ心線を１枚につき１心ずつ供給する部分である。予備心線の場合は中間トレイ２２に輪取りしたままにしておく。上層トレイ２４は、中間トレイ２２から上がってきた光ファイバ心線をスプライス接続し、その接続部と余長を収納する部分である。
【００１８】上層トレイ１枚につき光ファイバ心線を１心とする理由は、将来ダークファイバとして屋内側光ケーブルの他の管理者に移管する時に、１心単位で貸出可能にするためである。これによって該当心線以外には極力触れずに（悪影響を与えずに）、コネクタ付きの中継ぎ用光ケーブルに接続する（接続替えする）ことが可能となる。
【００１９】接続箱本体２０は、底板２８と周壁３０を有しており、周壁３０の一部には、接続すべき一方の光ケーブル３２を導入する導入部３４と、他方の光ケーブル３６を導出する導出部３８が形成されている。一方の光ケーブル３２は屋外側の光ケーブルであり、他方の光ケーブル３６は第二の光ケーブル接続箱１２へ行く中継ぎ用の光ケーブルである。導入部３４及び導出部３８は、周壁３０の内側に周壁３０を横切る方向に形成された多数の光ケーブル装着溝４０で構成されている。各光ケーブル装着溝４０は、溝方向の中間部で光ケーブルを若干屈曲するように凹凸に形成され、これによって光ケーブルを把持するようになっている。図４では接続すべき光ケーブル３２、３６を１本ずつ示したが、実際には接続すべき光ケーブル３２、３６は複数本ずつあり、それぞれ光ケーブル装着溝４０に装着されている。
【００２０】接続すべき光ケーブル３２、３６は、接続箱本体２０内で図４のように引き回されて、中間トレイ２２に入り、中間トレイ２２上で外被を剥がれた光ファイバ心線の状態となる。外被を剥がれた光ファイバ心線（図示省略）は相手方の光ファイバ心線とスプライス接続され、そのスプライス接続部は接続余長と共に個別に上層トレイ２４に収納される。各上層トレイ２４には図２に示すようなスプライス接続部保持部４２が設けられているが、図１及び図３では図示を省略してある。
【００２１】なお図３では、導入部３４の光ケーブル装着溝４０が薄板３９で塞がれている状態になっているが、この薄板３９は光ケーブルを装着するときに必要箇所だけ切除される。また図４では、導入部３４が２箇所に設けられているが、これは光ケーブルの導入方向を現場の状況に応じて選択できるようにするためである。
【００２２】次に図５ないし図８を参照して第二の光ケーブル接続箱１２について説明する。第二の光ケーブル接続箱１２は、底板４４と周壁４６を有しており、周壁４６の一部には、図８に示すようにコネクタ接続すべき一方の光ケーブル３６を導入する導入部４８と、他方の光ケーブル５０を導出する導出部５２が形成されている。一方の光ケーブル３６は前記第一の光ケーブル接続箱１０から導入されたものであり、他方の光ケーブル５０は屋内配線用の光ケーブルである。導入部４８は周壁４６に形成された複数のスロット５４で構成され、導出部５２は、第一の光ケーブル接続箱１０の光ケーブル導出部３８と同様、周壁４６を横切る方向に形成された多数の光ケーブル装着溝５６で構成されている。
【００２３】光ケーブル導入部４８の外側には、ケーブル通路５８が突設されている。光ケーブル通路５８は、周壁４６から外向きに直角方向に伸びる複数の仕切り壁６０（両側壁を含む）と、底板６２と、先端壁６４とから構成されている。仕切り壁６０は、前記第一の光ケーブル接続箱１０の光ケーブル導出部３８に形成された多数の光ケーブル装着溝４０のうちの一部の装着溝４０に差し込まれるように形成されている。仕切り壁６０の間隔は、仕切り壁６０の間に少なくとも一つのケーブル装着溝４０が存在するように定められる。また底板６２の先端壁６４側には、第一の光ケーブル接続箱１０の光ケーブル導出部３８に形成された光ケーブル装着溝４０の間の壁４１が入る開口６６が形成されている。開口６６は光ケーブル装着溝４０の凹凸に合致する形状であり、これによって位置決めをより確実にできる。
【００２４】ケーブル通路５８は上記のように形成されているため、底板６２の先端壁６４側の開口６６に、第一の光ケーブル接続箱１０の光ケーブル装着溝４０の間の壁４１を挿入するようにして光ケーブル導出部３８に装着すると、仕切り壁６０が光ケーブル装着溝４０に差し込まれ、第一の光ケーブル接続箱１０と第二の光ケーブル接続箱１０の位置関係が定まる。つまり第一の光ケーブル接続箱１０の光ケーブル導出部３８と第二の光ケーブル接続箱１２の光ケーブル導入部４８がケーブル通路５８によってほぼ直線状に連結された状態となる。したがって第一の光ケーブル接続箱１０の光ケーブル導出部３８から導出された光ケーブル３６を、第二の光ケーブル接続箱１２の光ケーブル導入部４８に直線的に導入することができる。コネクタ付きの中継ぎ光ケーブル３６は通常、太いコードの形態であり曲がり難いので、短い距離（通路）で第二の接続箱１２に引き渡すには、ほぼ直線状のまま引き渡せるようにすることが作業をやりやすくする上で重要である。
【００２５】なおケーブル通路５８の先端壁６４は、光ケーブルの装着が予定されている装着溝４０の位置で分断されている。分断された先端壁６４の一部には、装着溝４０に装着された光ケーブル３６が装着溝４０から抜け出すのを防止する押さえ片６８が形成されている。
【００２６】また第二の光ケーブル接続箱１２内には、コネクタ接続用のアダプタ７０を保持するホルダ７２が所定の位置に設けられている。アダプタ７０は、第二の光ケーブル接続箱１２に導入される光ケーブル３６の端部に取り付けられたコネクタ７４と、第二の光ケーブル接続箱１２から導出される光ケーブル５０に取り付けられたコネクタ７６とを軸線を合わせて接続するものである。コネクタ７４、７６は通常、１心単位のコネクタである。
【００２７】さらに第二の光ケーブル接続箱１２は、導出側の光ケーブル５０の余長を収納する略十字状の余長収納部材７８を備えている。余長収納部材７８は一端側がヒンジ部８０によって光ケーブル接続箱１２に連結されており、ヒンジ部８０を中心として開閉可能である。コネクタ７４、７６を接続したアダプタ７０をホルダ７２に保持させたりホルダ７２から取り外したりする作業は、図６のように余長収納部材７８を開いた状態で行ない、光ケーブル５０の余長を収納する作業は、図５及び図８のように余長収納部材７８を閉じた状態で行なう。
【００２８】次に図９を参照して通路カバー１８について説明する。通路カバー１８は、連結された第一の光ケーブル接続箱１０と第二の光ケーブル接続箱１２の間に露出するケーブル通路５８を覆う略門形のものである。通路カバー１８の、ケーブル通路５８方向の一端側の外周には、第一の光ケーブル接続箱１０の防護カバー１４の縁が差し込まれる溝８２が形成され、他端側の外周には、第二の光ケーブル接続箱１２の防護カバー１６の縁が差し込まれる溝８４が形成されている。なお通路カバー１８は第二の光ケーブル接続箱１２の防護カバー１６と一体に形成してもよい。
【００２９】以上が連結型光ケーブル接続箱の構成である。次にこの連結型光ケーブル接続箱の使用方法について説明する。ビルや集合住宅などで、屋外側の光ケーブルと屋内側の光ケーブルを、光ファイバのスプライス接続で直接接続する場合は、第一の光ケーブル接続箱１０のみを設置すればよい。この場合は、第一の光ケーブル接続箱１０に予め導入されている屋外側の光ケーブルに、屋内側の光ケーブルをスプライス接続し、スプライス接続部と心線余長を第一の光ケーブル接続箱に収納すればよい。
【００３０】一方、屋外側の光ケーブルと屋内側の光ケーブルの管理者が異なり、屋外側の光ケーブルと屋内側の光ケーブルを、コネクタを介して切り離し可能に接続する場合には、上記実施形態の連結型光ケーブル接続箱を設置する。連結型光ケーブル接続箱の設置は、まず第一の光ケーブル接続箱１０を建物の壁などに設置した後、第二の光ケーブル接続箱１２を、ケーブル通路５８の先端部を第一の光ケーブル接続箱１０の光ケーブル導出部３８に嵌め込むようにして設置すればよい。
【００３１】第一のケーブル接続箱１０には予め屋外側の光ケーブル３２が導入されている。屋外用の光ケーブル３２にスプライス接続される中継ぎ用の光ケーブル３６と屋内配線用の光ケーブル５０とは、予め工場などでコネクタ７４、７６を取り付けた状態で、現場に搬入される。現場では、中継ぎ用の光ケーブル３６を屋外側の光ケーブル３２とスプライス接続した後、スプライス接続部と心線余長を第一の光ケーブル接続箱１０に収納する。次に屋内配線用の光ケーブル５０を第二の光ケーブル接続箱１２の導出部５２に装着する。次にコネクタ７４、７６を接続したアダプタ７０を第二の光ケーブル接続箱１２のホルダ７２内に設置すると共に、中継ぎ用の光ケーブル３６を第一の光ケーブル接続箱１０の導出部３８と第二の光ケーブル接続箱１２の導入部４８に装着する。その後、屋内配線用の光ケーブル５０の余長を余長収納部材７８に収納し、最後に、ケーブル通路５８に通路カバー１８を被せ、第一及び第二の光ケーブル接続箱１０、１２にそれぞれ防護カバー１４、１６を被せる。
【００３２】
【発明の効果】以上説明したように本発明に係る連結用光ケーブル接続箱は、光ケーブル導入部の外側に光ケーブル通路が突設され、この光ケーブル通路の先端部を連結相手の光ケーブル接続箱の光ケーブル導出部に連結できるようになっているので、簡単に二つの光ケーブル接続箱が連結された連結型光ケーブル接続箱を構成することができる。
【００３３】また本発明に係る連結型光ケーブル接続箱は、第一の光ケーブル接続箱にスプライス接続部を収納し、第二の光ケーブル接続箱にコネクタ接続部を収納することにより、第二の光ケーブル接続箱内のコネクタ接続部を境として、屋外側の光ケーブルと屋内側の光ケーブルとの管理責任を明確に区分することができる。またスプライス接続部とコネクタ接続部が別の光ケーブル接続箱に収納されるため、光ケーブルの接続部及び余長を錯綜させることなく整然と収納することができ、光ケーブル接続箱内の各種作業を効率よく行なうことができる。特にコネクタ接続が将来必要となるかどうか判らない場合に有効である。
【図面の簡単な説明】
【図１】本発明に係る連結型光ケーブル接続箱の一実施形態を示す斜視図。
【図２】図１に示した連結型光ケーブル接続箱の、（Ａ）は一部切開正面図、（Ｂ）は底面図、（Ｃ）は側面図。
【図３】図１の連結型光ケーブル接続箱を構成する第一の光ケーブル接続箱の斜視図。
【図４】図３に示した第一の光ケーブル接続箱を、中間トレイ及び上層トレイを開いた状態で示す正面図。
【図５】図１の連結型光ケーブル接続箱を構成する第二の光ケーブル接続箱の斜視図。
【図６】図５に示した第二の光ケーブル接続箱を、余長収納部材を開いた状態で示す斜視図。
【図７】図５に示した第二の光ケーブル接続箱の、（Ａ）は一部切開正面図、（Ｂ）は底面図、（Ｃ）は断面図、（Ｄ）は左側面図。
【図８】図５に示した第二の光ケーブル接続箱を、第一の光ケーブル接続箱の光ケーブル導出部に連結した状態を示す正面図
【図９】図１の連結型光ケーブル接続箱を構成する通路カバーの、（Ａ）は正面図、（Ｂ）は左側面図、（Ｃ）は背面図、（Ｄ）は底面図、（Ｅ）は右側面図、（Ｆ）は（Ａ）のＦ−Ｆ線断面図。
【符号の説明】
１０：第一の光ケーブル接続箱
１２：第二の光ケーブル接続箱（連結用光ケーブル接続箱）
１４、１６：防護カバー
１８：通路カバー
２０：接続箱本体
２８：底板
３０：周壁
３２：屋外側の光ケーブル
３４：光ケーブル導入部
３６：中継ぎ用の光ケーブル
３８：光ケーブル導出部
４０：光ケーブル装着溝
４２：スプライス接続部保持部
４４：底板
４６：周壁
４８：光ケーブル導入部
５０：屋内配線用の光ケーブル
５２：光ケーブル導出部
５８：ケーブル通路
６０：仕切り壁
６２：底板
６４：先端壁
６６：開口
７０：アダプタ
７２：ホルダ
７４、７６：コネクタ
【図１】
2004212841.tif 000003
【図２】
2004212841.tif 000004
【図３】
2004212841.tif 000005
【図４】
2004212841.tif 000006
【図５】
2004212841.tif 000007
【図６】
2004212841.tif 000008
【図７】
2004212841.tif 000009
【図８】
2004212841.tif 000010
【図９】
2004212841.tif 000011